(57)【特許請求の範囲】
【請求項１】
水を供給するための導水部を備えた台本体部と、供給された水が通る水流管を備えた支柱部と、前記水流管からの水を動力として回転する水車と、前記水車の回転を動力として動く昇降可動部を備えた昇降台と、当該昇降可動部に載置する載置物と、前記載置物と水とが流れる流水部とを有する玩具において、
前記昇降台は、前記水車の回転を動力として回転し表面に螺旋部を備える回転柱を備えると共に、前記昇降可動部は前記螺旋部に着脱可能な突起を先端に備えたアームを有し、
前記昇降可動部は、前記アームの先端に設けられた前記突起を前記回転柱の裏側直近に位置させ、
前記突起は、前記載置物が前記昇降可動部に載置されないときは前記螺旋部に係合することなく、前記載置物が前記昇降可動部に載置されることにより前記突起は前記螺旋部に係合することを特徴とする玩具。
【請求項２】
前記回転柱は前記突起を前記螺旋部から外すためのテーパー突起を当該回転柱の上端近傍に有することを特徴とする請求項１に記載の玩具。
【請求項３】
前記回転柱は、前記螺旋部と一体成型されていることを特徴とする請求項１又は請求項２に記載の玩具。
【請求項４】
前記導水部は押し上げポンプを備えることを特徴とする請求項１乃至請求項３の何れかに記載の玩具。
【発明の詳細な説明】
【技術分野】
【０００１】
本発明は、水を利用して遊ぶ玩具に関する。
【背景技術】
【０００２】
従来、子供が風呂場やプールなどで遊ぶための玩具が多々発売されている。例えば、水に浮かぶ人形やモーターで水上を動く玩具などはその最たるものである。近年では子供玩具の技術も進み、飽きが早く、成長も早い幼児が長い期間遊べるものが多々開発されている。その中で蛇口の水流を利用した玩具や、水を吸い上げるモーターを利用した玩具等が増えてきている。
【０００３】
例えば、実用新案登録第３０３９３７７号公報（特許文献１）では、底部にコックを備えた水タンクがあり、当該タンクに水を入れ、コックから水を水車に出すことによって水車を回転させ、水車の回転により複数の作動部が揺動運動する技術が提案されている。
【０００４】
又、実用新案登録第３０９８４５０号公報（特許文献２）では、浴槽水を電動ポンプで汲み上げて、玩具本体に設けられている、打たせ湯の放水口や蛇口、シャワー等から放水する玩具についての提案がなされている。
【０００５】
しかし、従来の水遊び用の玩具は動きが単調であり、予め何らかの設定や準備をすれば自動的に動くものが多く、遊戯者が自ら参加できる玩具ではなかった。
【特許文献１】実用新案登録第３０３９３７７号公報
【特許文献２】実用新案登録第３０９８４５０号公報
【発明の開示】
【発明が解決しようとする課題】
【０００６】
本発明は、上述したような従来技術の問題点に鑑みてなされたものであり、遊戯者が参加することで違った動きを開始する玩具を提供することを目的としている。
【課題を解決するための手段】
【０００７】
請求項１の発明の玩具（１）は、水を供給するための導水部（２）を備えた台本体部（３）と、供給された水が通る水流管（１１）を備えた支柱部（４）と、水流管（１１）からの水を動力として回転する水車（５）と、水車（５）の回転を動力として動く昇降可動部（２１）を備えた昇降台（６）と、昇降可動部（２１）に載置する載置物（７）と、載置物（７）と水とが流れる流水部（８）とを有する玩具（１）において、昇降台は、水車（５）の回転を動力として回転し表面に螺旋部（２２）を備える回転柱（２３）を備えると共に、昇降可動部（２１）は螺旋部（２３）に着脱可能な突起（４１）を先端に備えたアーム（３４）を有することを特徴とするものである。
【０００９】
更に、この請求項１の発明は、昇降可動部（２１）は、アーム（３４）の先端に設けられた突起（４１）を回転柱（２３）の裏側直近に位置させ、突起（４１）は、載置物（７）が昇降可動部（２１）に載置されないときは螺旋部（２２）に係合することなく、載置物（７）が昇降可動部（２１）に載置されることにより突起（４１）は螺旋部（２２）に係合することを特徴とするものである。
【００１０】
請求項１の発明によれば、水車（５）の回転により昇降可動部（２１）は昇降運動をし、載置物（７）は昇降可動部（２１）に載置することにより上昇して、その後流水部（８）を滑落する玩具（１）を提供することができ、載置物（７）を昇降可動部（２１）に載置することにより昇降可動部（２１）が昇降運動を開始するので、遊戯者参加型の玩具（１）を提供することができる。
【００１１】
請求項２の発明は、請求項１に記載の玩具（１）において、回転柱（２３）は突起（４１）を螺旋部（２２）から外すためのテーパー突起（３２）を回転柱（２１）の上端近傍に有することを特徴とするものである。
【００１２】
請求項２の発明によれば、昇降可動部（２１）から載置物（７）が滑落しても昇降可動部（２１）が下端に降下しない場合でも、突起（４１）がテーパー突起（３２）と接触することにより螺旋部（２２）から外れ、昇降可動部（２１）が確実に昇降台の下端へ降下復帰する玩具（１）を提供することができる。
【００１５】
請求項３の発明は、請求項１又は請求項２に記載の玩具（１）において、回転柱（２３）は、螺旋部（２２）と一体成型されていることを特徴とするものである。
【００１６】
請求項３の発明によれば、回転柱（２３）と螺旋部（２２）を別々に成型する必要がなくなり、製造工程の少ない玩具（１）を提供することができる。
【００１９】
請求項４の発明は、請求項１乃至請求項３の何れかに記載の玩具において、導水部（２）は押し上げポンプ（６６）を備えることを特徴とするものである。
請求項４の発明によれば、風呂やプールなどの水の溜まった場所ならばどこでも遊べる玩具（１）を提供することができる。
【発明の効果】
【００２０】
本発明によれば、載置物を遊戯者が載置台に載置することにより水車の回転を動力として昇降運動し、載置物を載置台の昇降可動部に載置していないときは昇降運動しないという遊戯者が参加することで違った動きをする玩具を提供することができる。
【発明を実施するための最良の形態】
【００２１】
本発明を実施するための最良の形態の玩具１は、取外し可能な導水部２を備える台本体部３と、水流管１１を備える支柱部４と、導水部２で導水された水により回転する水車５と、昇降台６と、載置物７と、載置部７と導水した水が滑落する流水部８とを備える。
【００２２】
又、昇降台６は昇降可動部２１と、螺旋部２２を備える回転柱２３とを備える。そして、昇降可動部２１は、先端に突起４１を備えた支持アーム３４を備え、突起４１が螺旋部２２にと接触して係合することにより、螺旋部２２に誘導されて昇降運動する。突起４１は螺旋部２２との間に遊びを有し、載置物７を昇降可動部２１に載置していないときは螺旋部２２はこの遊びにより係合せず、載置物７を載置すると遊びが無くなって螺旋部２２と係合し、これにより昇降可動部２１は昇降運動をする。
【００２３】
載置物７が昇降可動部２１から滑落すると突起４１と螺旋部２２の係合が外れ昇降可動部２１は下端に落下する。又は、載置物７が無くなっても突起４１と螺旋部２２の係合部が外れないときは、回転柱２３の上端近傍にテーパー突起３２が設けてあり、テーパー突起３２に突起４１が接触すると係合部が外れ昇降可動部２１は下端に落下する。
【実施例】
【００２４】
以下、本発明の実施例について図に基づいて詳説する。本発明の１つの実施例の玩具１は、図１に示すように、台本体部３と、台本体部３に固定された支柱部４と、水車５と、昇降可動部２１を有する昇降台６と、載置物７と、水と載置物７がウォータースライダーのように滑落するための流水部８とを備える。
【００２５】
支柱部４は台本体部３に固定されており、図２に示すように支柱部４の内部には水流管１１を備え、上端部には放出口１２が取付けられている。水流管１１は筒状で筒の内部に導水してきた水が流れる。放出口１２は逆Ｕ字型の略管状で管内に水が流れるように成型してあり、水流管１１内を流れてきた水が水車５に当たるように一端は水車５の上近傍に位置し、他端を水流管１１に嵌合して固定している。尚、本実施例では水流管１１と放出口１２は別々に成型しているが、水流管１１と放出口１２は一体成型することも可能である。
【００２６】
水車５は図３に示すように、水車本体１３と水車支持具１４とを備える。水車本体１３には水を受け止められるように羽根１５が回転方向とは逆方向に斜めの向きで取付けられている。水車支持具１４は水車本体１３にの円平面から垂直に伸びる形で一体成型されており、水車本体１３と水車支持具１４には水車用主軸１６を通すための空洞が設けられている。水車支持具１４には、水車本体１３と接続している端部とは逆の他端に水車用外歯車１７が設けられている。
【００２７】
水車用主軸１６は軸止部１９に水平に取付けられており、軸止部１９は、昇降台６の昇降台支持ケース３０に固定されている。水車用主軸１６は、水車用外歯車１７と軸止部１９とが近接するように水車５を軸支しており、他端で止め具１８を嵌合して水車５と水車用主軸１６を固定している。水車５の回転方向は水車用外歯車１７側から見て右方向であり、水車５の設置位置は流水部８の上端近傍で、羽根１５に流れた水は水車５を回転させた後、流水部８に注ぎ込まれる。
【００２８】
昇降台６は、図４、図５に示すように、昇降運動をする昇降可動部２１と、針金を螺子状に巻きつけた螺旋部２２を表面に備える回転柱２３と、図３に示したように、第一のクラウンギア２４と、第二のクラウンギア２５と、回転柱２３の上端に設置された平歯車２６と、更に、ギア軸２７と、可動部支持レール２９を備える可動部支持面２８と、昇降台支持ケース３０とから構成されており、２枚の昇降台支持具２０により支持されている。
【００２９】
この昇降台支持具２０は直角三角形の板からなり、２枚の直角三角形の板の斜辺を昇降台支持ケース３０の裏面の側面近傍に固定する。昇降台支持具２０は形状が直角三角形であるので昇降台６は斜めに固定され、上端が流水部８の上端近傍に位置し、下に向かうに従って流水部８の上端から離れて行くように設置されている。
【００３０】
又、回転柱２３は筒状であり、上端には平歯車用軸２６１を備える平歯車２６を嵌合して取付けており、下端には回転柱支持具用軸３１１を備える回転柱支持具３１を嵌合して取付けてある。平歯車用軸２６１と回転柱支持具用軸３１１は昇降台支持ケース３０に回転可能な状態で支持されており、平歯車２６が回転すると回転柱２３も共に回転する機構となっている。又、回転柱２３の上端にはテーパー突起３２が取付けられており、螺旋部２２の上端のピッチ間に位置している。尚、本実施例では螺旋部２２は回転柱２３の周りに針金を巻きつけて構成しているが、回転柱に直接螺旋溝を設けることも可能である。又、平歯車２６と回転柱支持具３１を用いているが、回転柱２３と平歯車２６と回転柱支持具３１を一体成型することも可能である。
【００３１】
そして、昇降可動部２１は図６に示すように、可動部本体３３と、可動部本体３３を支持する支持アーム３４とから構成されている。可動部本体３３は平面板を直角に折り曲げた逆Ｌ字型形状であり、可動部本体３３の１面は載置物７を載置するための載置台３５となっており、他面は支持アーム３４を取付ける支持アーム取付面３６となっている。載置台３５には載置物７を載置したときに載置物７が落下しないよう、Ｌ字型の角部にあたる辺以外の３辺に載置台用落下防止壁３７が設けられている。
【００３２】
又、支持アーム３４は、支持アーム用平面板３８と、Ｌ字型のアーム３９と、支持アーム用長棒４０とからなる。Ｌ字型のアーム３９の一端は支持アーム用平面板３８の上端近傍の角に垂直に取付けており、この取付け部分を上から見た場合にはコの字型になる。Ｌ字型のアーム３９の他端には支持アーム用長棒４０の一端が垂直に取付けられており、支持アーム３４を横から見るとクランク形状となる。支持アーム用長棒４０の他端には螺旋部２２と係合する突起４１が成型されており、この突起４１は支持アーム用平面板３８と向かい合うように取付けられている。支持アーム３４は以上の構成を一体成型されている。
【００３３】
支持アーム３４のＬ字型のアーム３９は回転柱２３を迂回するためのものであり、昇降可動部２１を可動部支持面２８に取付けたとき、支持アーム用長棒４０と支持アーム用平面板３８の間に回転柱２３が位置するようになっている。尚、本実施例では回転柱２３を迂回するためにＬ字型のアーム３９を用いているが、回転柱２３を迂回することができればどんな形状の物を用いてもよい。
【００３４】
そして、可動部支持面２８は昇降可動部２１の昇降運動を支持するための可動部支持レール２９を備え、昇降台支持ケース３０を蓋するように設置される。
【００３５】
又、支持アーム取付面３６と支持アーム用平面板３８は平行とされ、可動部支持面２８を挟み込むように第一のスペーサーリング４２を介して螺子で取付けられている。この時、支持アーム取付面３６は可動部支持面２８の表面側に、支持アーム用平面板３８は裏面側に位置しており、取付け位置は支持アーム取付面３６の下端近傍の中央付近である。
【００３６】
そして、第一のスペーサーリング４２は断面が凸型であり、可動部支持レール２９の幅は第一のスペーサーリング４２の凸型断面の大径部より小さく、小径部より大きく成型しているため、可動部支持レール２９に第一のスペーサーリング４２の小径部が入り込み、大径部は入り込むことはできない。第一のスペーサーリング４２の大径部は可動部支持面２８の表面側に位置しており、可動部支持面２８と支持アーム取付面３６との間に第一のスペーサーリング４２の大径部の高さ分の距離ができる。第一のスペーサーリング４２は、可動部支持レール２９に支持されており、可動部支持レール２９に沿って上下に昇降可能であり、第一のスペーサーリング４２が可動部支持レール２９の最下端に当たって止まる位置が昇降可動部２１の最下端となる。
【００３７】
又、支持アーム取付面３６と可動部支持レール２９は、可動部支持面２８の裏面側から座金４３、第二のスペーサーリング４４の順に螺子で係止しており、座金４３は可動部支持面２８の裏面側に位置している。取付け位置は支持アーム取付面３６の下端近傍の中央付近である。座金４３の直径は可動部支持レール２９の幅より大きく、第二のスペーサーリング４４の直径は可動部支持レール２９の幅より小さい。よって第二のスペーサーリング４４の高さから可動部支持面２８の肉厚を引いた分の遊びができる。
【００３８】
このため、載置物７を載置台３５に載置していない通常時は、昇降台６が斜めに設置されているため、支持アーム取付面３６の上部は重力により可動部支持面２８の表面と接触し、支持アーム取付面３６の下部は第一のスペーサーリング４２によりケースとの距離は固定されているので、側面から見ると可動部支持面２８の表面に支持アーム取付面３６が寄りかかっている状態となる。このとき突起４１と螺旋部２２とは接触していない。
【００３９】
次に昇降台６での昇降運動の機構について説明する。図３に示したように、第一、第二のクラウンギア２４，２５はギア軸２７の両端に取付けられており、第一のクラウンギア２４は水車用外歯車１７と咬合し、第二のクラウンギア２５は平歯車２６と咬合するように設置している。これにより水車の回転を回転柱２３に伝達することが可能となる。
【００４０】
そして載置物７を載置台３５に載置すると、図４に示すように支持アーム取付面３６は可動部支持面２８に寄り掛かっている状態から可動部支持面２８の裏面に座金４３が係合する状態まで起き上がり、支持アーム取付面３６と可動部支持レール２９を係止している部分の遊びが無くなる。突起４１は支持アーム取付面が起き上がると、共に起き上がり回転柱２３に近接し、回転柱２３に設けられている螺旋部２２と接触する。回転柱２３が回転すると突起４１は螺旋部２２に係合し、ウォームギアの要領で突起４１は螺旋部２２の回転に誘導されて上昇し、昇降可動部２１は突起４１と共に上昇して行く。この時、載置台３５が可動部支持面２８に対して垂直に傾いているため、載置物７は可動部支持面２８に支えられている状態となっている。
【００４１】
又、図５に示したように、昇降可動部２１が上昇すると、載置物７が可動部支持面２８の支えを失って流水部８の上に落下する。昇降可動部２１は載置物７が無くなったために遊びが再びでき、螺旋部２２から突起４１が外れて最下部に落下する。又は、載置物７が無くなっても螺旋部２２から突起４１がはずれない場合は、螺旋部２２が回転を続けると突起４１も上昇し続け、回転柱２３の最上部に取付けられたテーパー突起３２に突起４１が接触する。突起４１はテーパー突起３２のテーパー部によって持ち上がり、最終的には螺旋部２２から外れる。これにより突起３２は支えを失うので昇降可動部２１は昇降台６の最下部に落下する。
【００４２】
そして、載置物７を載置台３５に載置していないときは突起３２と螺旋部２２は接しておらず、突起３２と螺旋部２２が係合しないので、水車５が回転しても昇降可動部２１は昇降運動をしない。
【００４３】
又、昇降台支持ケース３０は、水車用外歯車１７と、回転柱６２と、第１、第２のクラウンギア２４，２５と、平歯車２６と、ギア軸２７と、支持アーム３４とを収納できるように箱型に成型されている。そして、載置物７が可動部支持面２８の上端に着いたときに、載置台３５から流水部８に載置物７が滑落するよう昇降台支持ケース３０の上端の外面に斜面を設けている。
【００４４】
この載置物７は、昇降可動部２１に載って可動部支持面２８の最上部まで昇り、昇降台支持ケース３０の上端の斜面より流水部８の上端に滑落し、流水部８の上端より下端まで水と共に滑落する。このため、載置物７が滑落しやすいように重量が軽く、流水部８上を滑りやすい物質を素材としており、底面形状は円形で角がないように成型している。又、載置台３５に載置したときに支持アーム取付面３６と可動部支持面２８の間の遊びを無くす必要があるため、載置物７の底面の大きさは載置台３５の大きさより僅かに大きく成型している。尚、本実施例では載置物７の断面が円形の物を用いているが、他の形状の物を用いることも可能である。しかし、角張ったものを用いるのは子供が使用する物であるため危険であり、流水部８を滑落しにくくなるため避けるのが好ましい。
【００４５】
流水部８は上端が水車５の真下に位置し、支柱部４の周りを旋回しながら下がって行き、下端から載置物７と水が落ちる構造となっている。流水部８の両側面と上端には水や載置物７が流水部８から外部に落ちないように流水部用落下防止壁５１が成型されている。流水部８の下端近傍には家の模型５２が設置されており、家の模型５２の玄関部には扉５３が設けられている。これにより、載置物７が流水部８を滑落して下端に来たとき、家の裏側から突入し家の中から飛び出してくるように見える。又、家の模型５２近傍の流水部８の側面に水車の模型５４を設置し、流水部８を流れる水の一部が水車の模型５４に分流するように、流水部８の滑走面を分岐させている。これにより家の模型５２側と水車の模型５４側との両方に水が流れ、水車の模型５４も回転する。
【００４６】
そして、台本体部３は、図７に示すように、下部に導水口６１を備え、導水部２で導水した水を流水管１１に供給することができ、上面には導水部２を駆動させるためのスイッチ６３を備えている。この台本体部３には、導水部２を駆動させるための電池を内臓しており、又、一側面には風呂の縁などに玩具１を取付けるための固定アーム６４を備え、調整ツマミ６５で設置する場所のサイズに調整して固定することができるようにしている。
【００４７】
導水部２は台本体部３の下部の導水口６１に嵌脱自由な状態で固定されており、水を導水するための押し上げポンプ６５を先端に備えている。押し上げポンプ６５は台本体部３の導水口６１に固定することにより駆動が可能となり、スイッチ６３を入れると駆動して水の導水を開始する。
【００４８】
本実施例の玩具は幼児が利用するため、載置物７は幼児に人気のあるキャラクターを用いて製造するのが好ましく、玄関部５３の表面にも載置物７と共通したキャラクター物の絵や立体を挿入することが好ましい。又、昇降台支持面２８、昇降台支持ケース３０等は着色して内部の機構を隠した方が幼児に好まれる。更に載置台３５や、可動部支持面２８、放出口１２等はすべてを幼児に人気のキャラクター物で加工することが好ましい。玩具１の全体を統一したキャラクター物で構成することにより、幼児はキャラクターの世界に入り込むことができる。
【００４９】
次に本実施例の玩具１の遊戯方法について述べる。まず台本体部３を固定アーム６２で風呂の縁などに固定する。次に、図８に示すように導水部２の先端を水の中に挿入して導水を開始する。導水を開始すると水流管１１内を水が上昇し、放出口１２より水が落下して水車５が回転を始め、流水部８に水が流れる。次に載置物７を載置台３５に載置すると、昇降可動部２１は上昇を始め、可動部支持面２８の上端に昇降可動部２１が来ると載置物７は流水部８に滑落する。そして、そのまま流水部８を滑落して、流水部８の下端近傍に取付けている、家の模型５２の玄関から飛び出してくる。昇降可動部２１は載置物７が無くなると、又は回転柱の最上部まで来ると可動部支持面２８の最下部まで落下する。以上の動作を繰り返すことで遊戯をすることができる。
【００５０】
尚、本実施例では導水方法として押し上げポンプ６５を用いているが、吸い上げポンプを用いたり、水道の蛇口と台本体部３の導水口６１を接続して導水したりすることも可能である。
【００５１】
本実施例によれば水車５が回っても載置物７を昇降可動部２１に載置していない通常時は昇降可動部２１は動かず、幼児が載置物７を昇降可動部２１に載置することで昇降可動部２１が昇降運動を開始するという遊戯者参加型の玩具を提供することができる。
【００５２】
又、幼児に人気のキャラクターが流水部８をウォータースライダーで遊んでいるように降ってくるので、キャラクターの表情とあいまってより楽しむことが可能となる。よって、飽きが早く、成長も早い幼児でも長い間楽しむことができる。
【００５３】
尚、本実施例では載置台３５と支持アーム取付面３６を垂直に成型し、昇降台６の傾きにより載置物７は載置台３５から滑落する仕組みとなっているが、載置台３５を水平に加工し、載置台３５の載置物７を載置する面を斜めに加工することでも同様の効果が得られる。
【００５４】
更に、流水部８に家の模型５２や水車の模型５４を設けているが、当然設置しなくても問題はなく、幼児に人気のキャラクターで統一せずに、オリジナリティのあるものを用いることも当然可能である。
【００５５】
又、本実施例では水車を利用して昇降する玩具について述べているが、水車以外の回転体、例えば風車などを扇風機の前において回転させることでも当然同様の昇降運動が可能である。
【図面の簡単な説明】
【００５６】
【図１】本発明の一つの実施例の玩具の斜視図。
【図２】本発明の一つの実施例の玩具の支柱部の説明図。
【図３】本発明の一つの実施例の玩具の回転動力機構の説明図。
【図４】本発明の一つの実施例の玩具の昇降台の昇降可動部が下端にある場合の側面図。
【図５】本発明の一つの実施例の玩具の昇降台の昇降可動部が上端にある場合の側面図。
【図６】本発明の一つの実施例の玩具の昇降可動部の斜視図。
【図７】本発明の一つの実施例の玩具の台本体部の斜視図。
【図８】本発明の一つの実施例の玩具の遊戯中の斜視図。
【符号の説明】
【００５７】
１  玩具
２  導水部
３  台本体部
４  支柱部
５  水車
６  昇降台
７  載置物
８  流水部
１１  水流管
１２  放出口
１３  水車本体
１４  水車支持具
１５  羽根
１６  水車用主軸
１７  水車用外歯車
１８  止め具
１９  軸止部
２０  昇降台支持具
２１  昇降可動部
２２  螺旋部
２３  回転柱
２４  第一のクラウンギア
２５  第二のクラウンギア
２６  平歯車
２６１  平歯車用軸
２７  ギア軸
２８  可動部支持面
２９  可動部支持レール
３０  昇降台支持ケース
３１  回転柱支持具
３１１  回転柱支持具用軸
３２  テーパー突起
３３  可動部本体
３４  支持アーム
３５  載置台
３６  支持アーム取付面
３７  載置台用落下防止壁
３８  支持アーム用平面板
３９  Ｌ字型のアーム
４０  支持アーム用長棒
４１  突起
４２  第一のスペーサーリング
４３  座金
４４  第二のスペーサーリング
５１  流水部用落下防止壁
５２  家の模型
５３  玄関部
５４  水車の模型
６１  導水口
６２  設置板
６３  スイッチ
６４  固定アーム
６５  ツマミ
６６  押し上げポンプ
【図１】
0004619242.tif 000002
【図２】
0004619242.tif 000003
【図３】
0004619242.tif 000004
【図４】
0004619242.tif 000005
【図５】
0004619242.tif 000006
【図６】
0004619242.tif 000007
【図７】
0004619242.tif 000008
【図８】
0004619242.tif 000009